(57)【要約】【課題】  把手機構を引手構造とすることにより引手部の大きさを小さくでき、意匠性の向上が図れる開口部装置を提供する。【解決手段】  上枠２ａ、下枠２ｂ及び左右の縦枠２ｃ，２ｄからなる枠２と、該枠２内にスライド開閉自在に設けられた障子３，４と、該障子３，４の戸先部５ｄ，７ｄに設けられ、障子３，４を開ける時に開方向の力を助勢する把手機構８とを備え、該把手機構８は、横方向に回動可能に軸支され一端が引手部９となったレバー部材１０と、該レバー部材１０の回動により枠側に突出して障子３，４を開方向に押し出す突出部１１とを有している。【選択図】          図２
2006097248.tif 000002
【特許請求の範囲】
【請求項１】
上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有していることを特徴とする開口部装置。
【請求項２】
上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、ベース部と、該ベース部に横方向に回動可能に軸支され一端が引手部となったレバー部材と、該レバー部材の回動によりベース部内より枠側に突出して障子を開方向に押し出す突出部と、該突出部をベース部内に戻す復帰バネとを有し、不使用時に突出部はベース部内に格納されていることを特徴とする開口部装置。
【請求項３】
上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有し、前記把手機構に、障子を全開した時にレバー部材と内障子の召合せ部との間に指を挿入する隙間を確保するためのストッパー部材を一体又は別体で設けたことを特徴とする開口部装置。
【発明の詳細な説明】
【技術分野】
【０００１】
本発明は、開口部装置に係り、特に障子を簡単な操作で容易に開けられるように把手機構を改良した開口部装置に関する。
【背景技術】
【０００２】
開口部装置であるサッシにおいては、障子の開閉操作性を向上させる目的で、テコの原理を利用して障子の開け始めの力を軽減するようにした把手機構（アシスト把手ともいう）を設けたものが知られている（例えば特開２００３−１３６３４号公報参照）。この把手機構は、障子の戸先框（戸先部）に障子の面と略平行な面内で上下方向に回動可能に軸支されたレバー部材を有し、このレバー部材の一端を手で握って回動することにより、レバー部材の他端を枠側に押圧させてその反力で障子を開くようになっている。
【０００３】
【特許文献１】特開２００３−１３６３４号
【発明の開示】
【発明が解決しようとする課題】
【０００４】
しかしながら、前記サッシの把手機構においては、レバー部材を手で握る構造になっているため、出寸法が大きくなり、意匠性が悪いだけでなく、室内のカーテンや和障子と干渉する可能性があった。また、レバー部材を手で握って引違い障子の外障子を開ける時に内障子の召合せ框（召合せ部）とレバー部材との間で手を挟まれないように、レバー部材と内障子の召合せ框との間に大きな隙間を確保する必要があり、これにより障子の引き残しが大きくなってしまい、開口幅が狭くなったり、或いは網戸が内障子側でしか使用できない（外障子側では網戸の虫除けパッキンが外障子の戸先框に当らない）といった不具合がある。
【０００５】
本発明は、上記事情を考慮してなされたものであり、把手機構を引手構造とすることにより引手部の大きさを小さくでき、意匠性の向上が図れる開口部装置を提供することを目的とする。また、本発明は、障子の引き残しを小さくでき、開口幅を広くとることができる開口部装置を提供することを目的とする。
【課題を解決するための手段】
【０００６】
本発明のうち、請求項１に係る発明は、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有していることを特徴とする。
【０００７】
請求項２に係る発明は、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、ベース部と、該ベース部に横方向に回動可能に軸支され一端が引手部となったレバー部材と、該レバー部材の回動によりベース部内より枠側に突出して障子を開方向に押し出す突出部と、該突出部をベース部内に戻す復帰バネとを有し、不使用時に突出部はベース部内に格納されていることを特徴とする。
【０００８】
請求項３に係る発明は、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有し、前記把手機構に、障子を全開した時にレバー部材と内障子の召合せ部との間に指を挿入する隙間を確保するためのストッパー部材を一体又は別体で設けたことを特徴とする。
【発明の効果】
【０００９】
請求項１に係る発明によれば、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有しているため、把手機構を引手構造とすることにより引手部の大きさを小さくでき、意匠性の向上が図れる。また、障子の引き残しを小さくできるので、開口幅を広くとることができる。
【００１０】
請求項２に係る発明によれば、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、ベース部と、該ベース部に横方向に回動可能に軸支され一端が引手部となったレバー部材と、該レバー部材の回動によりベース部内より枠側に突出して障子を開方向に押し出す突出部と、該突出部をベース部内に戻す復帰バネとを有し、不使用時に突出部はベース部内に格納されているため、把手機構を引手構造とすることにより引手部の大きさを小さくでき、意匠性の向上が図れる。また、障子の引き残しを小さくできるので、開口幅を広くとることができる。
【００１１】
請求項３に係る発明によれば、上枠、下枠及び左右の縦枠からなる枠と、該枠内にスライド開閉自在に設けられた障子と、該障子の戸先部に設けられ、障子を開ける時に開方向の力を助勢する把手機構とを備え、該把手機構は、横方向に回動可能に軸支され一端が引手部となったレバー部材と、該レバー部材の回動により枠側に突出して障子を開方向に押し出す突出部とを有し、前記把手機構に、外障子を全開した時にレバー部材と内障子の召合せ部との間に指を挿入する隙間を確保するためのストッパー部材を一体又は別体で設けているため、把手機構を引手構造とすることにより引手部の大きさを小さくでき、意匠性の向上が図れると共に、ストッパー部材により確保される隙間に指を入れて引手部により外障子を容易に閉めることができる。
【発明を実施するための最良の形態】
【００１２】
以下に、本発明を実施するための最良の形態について、添付図面を基に詳述する。図１は本発明の実施の形態であるサッシを示す室内側正面図、図２は同サッシの拡大横断面図、図３はアシスト把手の斜視図、図４はアシスト把手を示す図で、（ａ）は非操作時の断面図、（ｂ）は障子開操作時の断面図、図５はアシスト把手の分解斜視図、図６はストッパー部材の斜視図である。
【００１３】
図１ないし図２において、１は開口部装置として例示した窓用又はテラス用のサッシで、このサッシ１は、建物の躯体の開口に取付けられる枠（サッシ枠）２と、この枠２内にスライド開閉自在に設けられた障子図示例では引違いタイプの内外の障子３，４とを備えている。枠２は、例えばアルミニウム合金等の形材からなる上枠２ａ、下枠２ｂ及び左右の縦枠２ｃ，２ｄを方形に組立てて構成されている。内障子３は、例えばアルミニウム合金等の形材からなる上框５ａ、下框５ｂ及び左右の縦框５ｃ，５ｄを方形に組立てて内部にパネル例えばガラスパネル６を装着して構成されている。外障子４も、例えばアルミニウム合金等の形材からなる上框７ａ、下框７ｂ及び左右の縦框７ｃ，７ｄを方形に組立てて内部にパネル例えばガラスパネル６を装着して構成されている。
【００１４】
前記内外の障子３，４の戸先部である戸先框（戸先側の縦框）５ｄ，７ｄには、障子３，４を開ける時に開方向の力を助勢するアシスト把手（把手機構）８が設けられている。このアシスト把手８は、図３、図４ないし図５に示すように横方向に回動可能に軸支され一端が引手部９となったレバー部材１０と、このレバー部材１０の回動により枠側図示例では縦枠２ｃ，２ｄ側に突出して障子３，４を開方向に押し出す突出部１１とを有している。更に具体的には、アシスト把手８は、ベース部（台座部、ケース部ともいう）１２と、このベース部１２に横方向に回動可能に軸支され一端が引手部９となったレバー部材１０と、このレバー部材１０の回動によりベース部１２内より枠側図示例では縦枠２ｃ、２ｄ側に突出して障子３，４を開方向に押し出す突出部１１と、この突出部１１をベース部１２内に戻す復帰バネ１３とを有し、不使用時に突出部１１はベース部１２内に格納されている。
【００１５】
ベース部１３及びレバー部材１０は例えばプラスチック製で縦長に形成されている。このベース部１３には垂直の支軸１４を介してレバー部材１０が水平回動可能に設けられている。レバー部材１０の一端は室内側に突出した引手部９として形成されている。レバー部材１０の基部側（他端）である出力部１０ｘは、図示例では複数例えば３つに分岐され、その各付根部に支軸１４を通す軸孔１５が形成されている。ベース部１２にはレバー部材１０の出力部１０ｘに対応する支持受部１６が形成され、該支持受部１６にレバー部材１０の出力部１０ｘの付根部が例えば金属製の支軸１４を介して回動可能に支持されている。レバー部材１０は、テコの原理を利用して、支軸１４から引手部９側と、支軸１４から出力部１０ｘ側とのレバー比により小さな力（引手力）で大きな力（突出力、蹴り出し力）を出せるようになっている。
【００１６】
ベース部１２の内部には、図示例ではレバー部材１０の出力部１０ｘとは別体の突出部（突出部材又は蹴り出し部材ともいう）１１が水平方向にスライド突出可能に設けられている。この場合、レバー部材１０の３つに分岐された出力部のうちの中央の出力部１０ｘに対応して突出部１１が設けられている。ベース部１２には突出部１１の先端側がスライドしてベース部１２の一側部から突出したり引っ込んだり可能に嵌挿する孔部１７が設けられ、突出部１１の基端部には突出方向への脱落を防止し、突出量を一定量に規制するための鍔状の規制部１８が形成されている。
【００１７】
この規制部１８の外面に前記レバー部材１０の出力部１０ｘが当接されている。また、規制部１８の内面とベース部１２内の内面との間には、突出部１１をベース部１２内に戻すための復帰バネ１３が介設されている。前記レバー部材１０の引手部９は、非操作状態では図４の（ａ）に示すように障子の面に対して略直角の待機位置にあり、この待機位置では突出部１１の基端部外面（規制部１８の外面）がレバー部材１０の出力部１０ｘの側面に当接しており、且つ、引手部９の側面がベース部１２の縁部に当接しており、これにより引手部９が待機位置に保持されている。
【００１８】
この待機位置から引手部９に手をかけて引手部９を障子開方向（図示例の外障子の場合、右方向）に引くと、支軸１４を支点にレバー部材１０の出力部１０ｘが左方に回動し、復帰バネ１３のバネ力に抗して突出部１１を左方向へ突出させ、突出部１１が縦枠２ｃの内側面、図示例では縦枠２ｃの内側面に突設されたリブ１９の先端部に当接してこれを押圧する反力により外障子４が右方向の開方向へ押し動かされ、障子４を容易に開くことができる。
【００１９】
引手部９から手を離すと、引手部９は復帰バネ１３により障子の面に略直角の待機位置（非操作位置）に復帰される。外障子４を閉める場合は、引手部９に手をかけて左方向へ引けばよく、このとき引手部９はベース部１２の縁部に係止されて待機位置を保持しているため、引手部９が回動することがなく外障子４を容易に閉めることができる。ベース部１２は障子３，４の戸先框５ｄ、７ｄの室内面に固着具例えばネジで固定される。ベース部１２にはネジを隠すキャップ２０が着脱可能に取付けられていることが好ましい。なお、外障子用のアシスト把手と内障子用のアシスト把手は同じものであるが、取付ける向きが異なる。
【００２０】
アシスト把手８には、外障子４を全開した時に引手部９と内障子３の召合せ部５ｃとの間に指を挿入する隙間Ｓを確保するためのストッパー部材２１が一体又は別体で設けられている。図７の（ａ）はストッパー部材を使用した状態を示す部分的横断面図、（ｂ）はアシスト把手と召し内框との間に隙間を確保した状態を示す部分的横断面図である。図８は網戸使用時にアシスト把手と召し内框との間に隙間を無くすようにした横断面図である。
【００２１】
本実施例のストッパー部材２１は、外障子４の戸先框７ｄの室内面に固着具例えばネジで固定されたベース部２２と、このベース部２２に、垂直の支軸２３を介して水平回動可能に支持された係止部２４とを有している。ベース部２２及び係止部２４は例えばプラスチック製で、支軸２３は例えば金属製である。ベース部２２にはネジを隠すキャップ２５が着脱自在に取付けられていることが好ましい。係止部２４は、図７の（ａ）に示すように室内側に突出するように障子の面に対して略垂直に立てた非作動位置（仮想線）と、内障子３の召合せ框（召合せ部、召し内框ともいう）５ｃと対向するように障子の面と略平行に横にした作動位置（実線）とに支軸２３を支点とした回動により選択的に切替え可能になっている。
【００２２】
ストッパー部材２１の係止部２４を作動位置にすると、外障子４を全開した時に外障子４の停止位置が係止部２４により規制されることから、図７の（ｂ）に示すようにアシスト把手８の引手部９と内障子３の召合せ框５ｃとの間に手が入る隙間Ｓを確保することができ、外障子４を閉める際にアシスト把手８の引手部９に容易に手をかけることができて外障子４を容易に閉めることができる。これに対し、ストッパー部材２１の係止部２４を非作動位置にすると、外障子４を全開した時に図８に示すようにアシスト把手８が内障子３の召合せ框５ｃに当接するまで外障子４を広く開けることができ（引き残しを小さくでき、開口幅が広くとれ）、網戸２６を外障子側（左側）に位置させても虫除けパッキン２７が外障子４の戸先框７ｄに当接するので、網戸２６を外障子側に位置させて使用することができる。なお、内障子３を全開した場合には、網戸２６を内障子側（右側）に位置させて使用することができる。すなわち、網戸２６が内障子側及び外障子側の何れにも使用することが可能となる。
【００２３】
前記実施例では外障子４にアシスト把手８とは別体にストッパー部材２１を設けた例が示されているが、ストッパー部材２１はアシスト把手８に一体に設けられていても良い。図９はストッパー部材を一体に設けたアシスト把手を示す図で、（ａ）は平面図、（ｂ）は正面図である。この場合、アシスト把手８のベース部１２とストッパー部材２１のベース部２２とが一体形成されている。本実施例によれば、アシスト把手８とストッパー部材２１が一体に設けられているので、コストの低減及び取付性の向上が図れる。
【００２４】
図１０は本発明の他の実施の形態を示すサッシの横断面図、図１１は網戸使用時にアシスト把手と召し内框との間に隙間を無くすようにした横断面図、図１２はアシスト把手を示す図で、（ａ）は通常時の横断面図、（ｂ）は同正面図、（ｃ）はストッパーとして使用した時の横断面図、（ｄ）は同正面図である。本実施例において、前記実施例と同一部分は同一符号を付して説明を省略し、異なる部分について説明を加える。本実施例においては、アシスト把手８のレバー部材１０がストッパー部材として使用できるようになっている。
【００２５】
具体的には、レバー部材１０の引手部９は、図１２の（ａ）に示すように障子の面に略垂直に立てた非作動位置と、同図（ｂ）に示すように障子の面と略平行に内障子３側に向って横にしたストッパー機能位置とに選択的に切り替え可能になっている。なお、引手部９は復帰バネ１３のバネ力で図１１に示すように障子の面に対して略垂直に立った状態に戻る。本実施例のレバー部材１０の基部側はベース部内に収容されて図示しない支軸で水平回動可能に支持されている。また、レバー部材１０の基部側端部には突出部１１の規制部１８の外面に当接される出力部１０ｘが設けられている。本実施例によれば、レバー部材１０がストッパ部材として使用できるため、ストッパー部材を別途設ける必要がなく、構造の簡素化及びコストの低減が図れる。
【００２６】
引手部９に手をかけて障子を開けると、引手部９が図１０に示すように横になってストッパー機能を発揮し、外障子４を全開した時にアシスト把手８と内障子３の召合せ框５ｃとの間に手が入る隙間Ｓを確保することができる。これに対して、網戸使用時等で開口を大きく取りたい時だけは引手部９以外の部分例えば引手部９のベース部１２に手をかけて外障子４を開ければ良い。これにより外障子４のアシスト把手８が内障子３の召合せ框５ｃに当接するまで外障子４を広く開けることができ（引き残しを小さくでき、開口幅が広くとれ）、網戸２６を外障子側（左側）に位置させても虫除けパッキン２７が外障子４の戸先框７ｄに当接するので、網戸２６を外障子側に位置させて使用することができる。勿論、内障子を全開した場合には、網戸を内障子側（右側）に位置させて使用することができる。
【００２７】
図１３は本発明の他の実施の形態を示すサッシの室内側正面図、図１４の（ａ）はストッパー部材使用時の部分的横断面図、（ｂ）はストッパー部材不使用時の部分的横断面図である。本実施例において、前記実施例と同一部分は同一符号を付して説明を省略し、異なる部分について説明を加える。本実施例においては、ストッパー部材２８は、アシスト把手８とは別の位置である内障子３の召合せ框５ｃに設けられている。このストッパー部材２８は、内障子３の召合せ框５ｃの端部に固定されたベース部２９と、このベース部２９に室内外方向にスライド可能に設けられた係止部３０とを有している。図１４の（ｂ）に示すように係止部３０を室内方向（非作動位置）にスライドさせておくとアシスト把手８が内障子３の召合せ框５ｃに当接するまで外障子４を全開することができ（引き残しを小さくでき、開口幅が広く取れ）、同図（ａ）に示すように係止部３０を室外方向（作動位置）にスライドさせておくと外障子４を全開した時に外障子４の戸先框７ｄの内側縁部に係止部３０が当り、アシスト把手８と内障子３の召合せ框５ｃとの間に手が入る隙間Ｓを確保することができる。
【００２８】
図１５は本発明の他の実施の形態を示す部分的横断面図である。本実施例においては、アシスト把手８のベース部１２が引手部９の位置よりも内側（右側）に突出して形成されており、このベース部１２が外障子４の全開時に内障子３の召合せ框５ｃに当接することにより、アシスト把手８の引手部９と内障子３の召合せ框５ｃとの間に手が入る隙間Ｓを確保するようになっている。本実施例によれば、切替え式のストッパー部材を設ける必要がなく、構造の簡素化及びコストの低減が図れる。
【００２９】
図１６は本発明の更に他の実施の形態を示す部分的横断面図である。本実施例においては、アシスト把手８の引手部９が非作動状態の時にベース部１２の内端（右端）よりも外側（左側）に傾斜して形成されており、外障子４の全開時にベース部１２が内障子３の召合せ框５ｃに当接したときにアシスト把手８の引手部９と内障子３の召合せ框５ｃとの間に手が入る隙間Ｓを確保するようになっている。本実施例によれば、切替え式のストッパー部材を設ける必要がなく、構造の簡素化及びコストの低減が図れる。
【００３０】
図１７は本発明の更に他の実施の形態を示す図で、（ａ）は非操作時の横断面図、（ｂ）は障子開操作時の横断面図である。本実施例ではアシスト把手８の一部が戸先框７ｄの内部に配置されている。障子例えば外障子４の戸先框７ｄの室内面には厚さの薄いベース部（台座）１２がネジで固定され、このベース部１２には一端に引手部９を有するレバー部材１０が支軸１４を介して水平化移動可能に設けられている。レバー部材１０の基端である出力部１０ｘは、戸先框７ｄの室内面に設けた開口部３４から戸先框３４の内部に挿入されている。戸先框７ｄは中空部３３を有するホロー構造とされている。
【００３１】
戸先框７ｄの側端部には、突出部（蹴り出し部材）１１を突没可能に収納したケース３２が切欠部３５に嵌め込まれてネジで固定されている。ケース３２には突出部１１を収納位置に付勢する復帰バネ１３が設けられ、突出部１１の後端部に前記レバー部材１０の出力部１０ｘが当接されている。引手部９は非作動状態では障子の面に対して略垂直の待機位置にあり、外障子４を開ける時には引手部９に手をかけて開方向に引くと、引手部９が開方向へ回動して出力部１０ｘが突出部１１を戸先框７ｄの側端部から押し出し、突出部１１が縦枠２ｃの内側面を押圧する反力で外障子４が開方向へ押されて容易に開放することができる。本実施例によれば、前記実施例と同様の効果を奏することができる他に、障子の戸先框７ｄの室内面から露出するアシスト把手８の露出部分が少なくなり、更に枠を蹴り出す部分（突出部１１）が見えないので、意匠性に優れるという効果が得られる。
【００３２】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、請求項１に係る発明ないし請求項２に係る発明においては、障子ないし戸のタイプが引違いタイプだけでなく、片引きタイプにも適用可能である。
【図面の簡単な説明】
【００３３】
【図１】本発明の実施の形態であるサッシを示す室内側正面図である。
【図２】同サッシの拡大横断面図である。
【図３】アシスト把手の斜視図である。
【図４】アシスト把手を示す図で、（ａ）は非操作時の断面図、（ｂ）は障子開操作時の断面図である。
【図５】アシスト把手の分解斜視図である。
【図６】ストッパー部材の斜視図である。
【図７】（ａ）はストッパー部材を使用した状態を示す部分的横断面図、（ｂ）はアシスト把手と召し内框との間に隙間を確保した状態を示す部分的横断面図である。
【図８】網戸使用時にアシスト把手と召し内框との間に隙間を無くすようにした横断面図である。
【図９】ストッパー部材を一体に設けたアシスト把手を示す図で、（ａ）は平面図、（ｂ）は正面図である。
【図１０】本発明の他の実施の形態を示すサッシの横断面図である。
【図１１】網戸使用時にアシスト把手と召し内框との間に隙間を無くすようにした横断面図である
【図１２】アシスト把手を示す図で、（ａ）は通常時の横断面図、（ｂ）は同正面図、（ｃ）はストッパーとして使用した時の横断面図、（ｄ）は同正面図である。
【図１３】本発明の他の実施の形態を示すサッシの室内側正面図である。
【図１４】（ａ）はストッパー部材使用時の部分的横断面図、（ｂ）はストッパー部材不使用時の部分的横断面図である。
【図１５】本発明の他の実施の形態を示す部分的横断面図である。
【図１６】本発明の更に他の実施の形態を示す部分的横断面図である。
【図１７】本発明の更に他の実施の形態を示す図で、（ａ）は非操作時の横断面図、（ｂ）は障子開操作時の横断面図である。
【符号の説明】
【００３４】
１  サッシ（開口部装置）
２  枠
３、４  障子
５ｃ  内障子の（召合せ框）召合せ部
５ｄ，７ｄ  （戸先框）戸先部
８  アシスト把手
９  引手部
１０  レバー部材
１１  突出部
１２  ベース部
１３  復帰バネ
２１  ストッパー部材
２８  ストッパー部材
【図１】
2006097248.tif 000003
【図２】
2006097248.tif 000004
【図３】
2006097248.tif 000005
【図４】
2006097248.tif 000006
【図５】
2006097248.tif 000007
【図６】
2006097248.tif 000008
【図７】
2006097248.tif 000009
【図８】
2006097248.tif 000010
【図９】
2006097248.tif 000011
【図１０】
2006097248.tif 000012
【図１１】
2006097248.tif 000013
【図１２】
2006097248.tif 000014
【図１３】
2006097248.tif 000015
【図１４】
2006097248.tif 000016
【図１５】
2006097248.tif 000017
【図１６】
2006097248.tif 000018
【図１７】
2006097248.tif 000019